(57)【要約】【課題】合成光学系内への光の侵入を防止すると共に光軸ずれを防止できる折り畳み式携帯情報端末機器を提供する。【解決手段】第１の光学系を格納する第１の筐体と、第２の光学系を格納すると共に前記第１の筐体に回動自在に連結される第２の筐体とを有し、前記第１の筐体と前記第２の筐体とが当接するように一方の筐体を回動させて折り畳み、前記第１の光学系の光軸と前記第２の光学系の光軸とを一致させることにより合成光学系が構成される折り畳み式携帯情報端末機器において、前記２つの筐体を折り畳んだ状態で前記第１の筐体と前記第２の筐体との当接部分から前記合成光学系内に侵入する光を遮断するための遮断機構を備える。【選択図】図１
2005167876.tif 000002
【特許請求の範囲】
【請求項１】
第１の光学系を格納する第１の筐体と、第２の光学系を格納すると共に前記第１の筐体に回動自在に連結される第２の筐体とを有し、前記第１の筐体と前記第２の筐体とが当接するように一方の筐体を回動させて折り畳み、前記第１の光学系の光軸と前記第２の光学系の光軸とを一致させることにより合成光学系が構成される折り畳み式携帯情報端末機器において、
前記２つの筐体を折り畳んだ状態で前記第１の筐体と前記第２の筐体との当接部分から前記合成光学系内に侵入する光を遮断するための遮断機構を備えることを特徴とする折り畳み式携帯情報端末機器。
【請求項２】
請求項１に記載の折り畳み式携帯情報端末機器において、
前記遮断機構が、前記２つの筐体のうちの一方の筐体に格納された前記光学系の周囲を覆うように当該一方の筐体の表面に形成される凸部と、他方の筐体に格納された前記光学系の周囲を覆うように当該他方の筐体の表面に形成される凹部とを備え、
前記２つの筐体を折り畳んだ状態で前記凸部と前記凹部とが嵌合することを特徴とする折り畳み式携帯情報端末機器。
【請求項３】
請求項１に記載の折り畳み式携帯情報端末機器において、
前記遮断機構が、前記２つの筐体を開いた状態では、当該２つの筐体のうちの一方の筐体に格納された前記光学系の周囲を覆った状態で当該一方の筐体に格納され、前記２つの筐体を折り畳んだ状態では、前記一方の筐体の内部から他方の筐体の内部まで延在することで当該他方の筐体に格納された前記光学系の周囲を覆う筒状部材を有することを特徴とする折り畳み式携帯情報端末機器。
【請求項４】
請求項３に記載の折り畳み式携帯情報端末機器において、
前記遮断機構が、前記他方の筐体に格納され、前記２つの筐体を折り畳んだ状態で前記筒状部材の移動を規制する移動規制部材を有することを特徴とする折り畳み式携帯情報端末機器。
【発明の詳細な説明】
【技術分野】
【０００１】
本発明は、本発明は、携帯電話やＰＤＡ（Personal digital assistant）などの携帯情報端末機器のうち、折り畳み式の携帯情報端末機器に関する。
【背景技術】
【０００２】
近年、撮像素子の小型化や低消費電力化及び電子機器の処理能力の向上やメモリの大容量化、更には通信インフラの高速、大容量化（ブロードバンド化）を背景として、携帯電話、ＰＤＡ、ハンドヘルドＰＣ（パーソナルコンピュータ）などの携帯情報端末機器にもＣＭＯＳイメージセンサなどの小型撮像モジュールによるカメラ機能を内蔵したものが多く開発されている。
【０００３】
また、使い易さとコンパクトさから回動自在に連結された二つの筐体を折り畳むことが可能な折り畳み式携帯電話機の需要が高まっており、カメラ機能を持つ折り畳み式携帯電話機の開発も進んでいる（例えば、特許文献１参照。）。
特許文献１の発明は、携帯電話機の筐体側にレンズや撮像素子等からなる撮像モジュールを配設し、携帯電話機の蓋部材側にアダプタ光学系（テレコンバータやワイドコンバータ）を配設し、携帯電話機を折り畳んだ状態でレンズの光軸とアダプタ光学系の光軸とを一致させることで、レンズとアダプタ光学系とからなる合成光学系を構成する技術に関するものである。
このような合成光学系を用いることで、光学系の光軸方向の長さを確保してズーミング機能を達成したり、多焦点化を達成することが可能となる。
【特許文献１】特開２００３−６９８６８号公報
【発明の開示】
【発明が解決しようとする課題】
【０００４】
ところが、上記特許文献１に開示された発明では、携帯電話機を折り畳んだ状態で筐体と蓋部材の隙間を通過した光が合成光学系内に侵入して画質の低下を招くという問題や、レンズの光軸とアダプタ光学系の光軸とがずれやすいという問題もあった。
【０００５】
本発明の課題は、上述の問題を考慮したものであり、合成光学系内への光の侵入を防止すると共に光軸ずれを防止できる折り畳み式携帯情報端末機器を提供することである。
【課題を解決するための手段】
【０００６】
以上の課題を解決するために、請求項１に記載の発明は、第１の光学系を格納する第１の筐体と、第２の光学系を格納すると共に前記第１の筐体に回動自在に連結される第２の筐体とを有し、前記第１の筐体と前記第２の筐体とが当接するように一方の筐体を回動させて折り畳み、前記第１の光学系の光軸と前記第２の光学系の光軸とを一致させることにより合成光学系が構成される折り畳み式携帯情報端末機器において、前記２つの筐体を折り畳んだ状態で前記第１の筐体と前記第２の筐体との当接部分から前記合成光学系内に侵入する光を遮断するための遮断機構を備えることを特徴とする。
請求項１に記載の発明によれば、折り畳んだ状態で第１の筐体と第２の筐体との当接部分から合成光学系内に侵入する光を遮断する遮断機構を備えるので、画質の低下を未然に防止できる。
【０００７】
請求項２に記載の発明は、請求項１に記載の折り畳み式携帯情報端末機器において、前記遮断機構が、前記２つの筐体のうちの一方の筐体に格納された前記光学系の周囲を覆うように当該一方の筐体の表面に形成される凸部と、他方の筐体に格納された前記光学系の周囲を覆うように当該他方の筐体の表面に形成される凹部とを備え、前記２つの筐体を折り畳んだ状態で前記凸部と前記凹部とが嵌合することを特徴とする。
請求項２に記載の発明によれば、凸部と凹部とを嵌合させるので、蓋部材を本体に対して正確に位置決めすることができ、第１の光学系の光軸と第２の光学系の光軸のずれを防止できる。
また、遮断機構が、例えばモータ等の電気的駆動手段を必要としないので、折り畳み式携帯情報端末機器の製造コストを抑えることができる。
【０００８】
請求項３に記載の発明は、請求項１に記載の折り畳み式携帯情報端末機器において、前記遮断機構が、前記２つの筐体を開いた状態では、当該２つの筐体のうちの一方の筐体に格納された前記光学系の周囲を覆った状態で当該一方の筐体に格納され、前記２つの筐体を折り畳んだ状態では、前記一方の筐体の内部から他方の筐体の内部まで延在することで当該他方の筐体に格納された前記光学系の周囲を覆う筒状部材を有することを特徴とする。
【０００９】
請求項４に記載の発明は、請求項３に記載の折り畳み式携帯情報端末機器において、前記遮断機構が、前記他方の筐体に格納され、前記２つの筐体を折り畳んだ状態で前記筒状部材の移動を規制する移動規制部材を有することを特徴とする。
請求項４に記載の発明によれば、移動規制部材により蓋部材を本体に対して正確に位置決めすることができ、第１の光学系の光軸と第２の光学系の光軸のずれを防止できる。
【発明の効果】
【００１０】
本発明によれば、合成光学系内への光の侵入を防止すると共に光軸ずれを防止できる折り畳み式携帯情報端末機器を得られる。
【発明を実施するための最良の形態】
【００１１】
以下、図を参照して本発明を実施するための最良の形態について詳細に説明する。
［第１の実施の形態］
図１は、カメラ機能を有する折り畳み式携帯情報端末機器としての折り畳み式携帯電話Ｐ（以下、単に「携帯電話」という。）の外観を示す図である。
【００１２】
この携帯電話Ｐは、蓋部材１（第１の筐体）と、蓋部材１に対し、図中に双方向矢印で示すように折り畳み自在に結合された本体２（第２の筐体）とから構成されており、蓋部材１と本体２とは回動軸３を介して回動可能に連結されている。
【００１３】
本体２には、折り畳み時に内面となる側に、撮像モジュール４、操作キー５、マイク６等が取り付けられている。
図２は、携帯電話Ｐを折り畳んだ状態を示す縦断面図である。
図２に示すように、撮像モジュール４は、ＣＭＯＳセンサやＣＣＤ等の撮像素子７、第２の光学系８、カバーガラス９等から概略構成されており、遠点撮像用の光学特性を持つ。
そして、携帯電話Ｐを開いた状態で、撮像モジュール４を操作者自身に向けて自分自身を撮影したり、撮影者の周囲の風景や人物等のスナップ撮影を行うことができる。また、撮影した画像は、携帯電話Ｐ内のメモリに蓄積して表示部１０に表示したり、電子メールに添付して他の電子機器に送信したりすることができる。
【００１４】
蓋部材１には、折り畳み時に内面となる側に、ＬＣＤやＥＬ（Electro-Luminescence）パネルなどにより構成され、電話帳や動作メニュー表示等のユーザインタフェース情報の表示を行う表示部１０、アダプタ光学系１１、スピーカ１２、アンテナ１３等が取り付けられている。
アダプタ光学系１１は、第１の光学系１４、内面と裏面のカバーガラス１５ａ、１５ｂ等から概略構成されている。そして、折り畳み時に第１の光学系１４の光軸Ｌ１が第２の光学系８の光軸Ｌ２と略一致するように、アダプタ光学系１１が配置されている。
つまり、折り畳んだ状態で蓋部材１の裏面側のカバーガラス１５ｂからアダプタ光学系１１に入射した光が第１の光学系１４、２枚のカバーガラス１５ａ、９、第２の光学系８を順に通過して撮像素子７に至る構成とすることで、第１の光学系１４と第２の光学系８とからなる合成光学系を構成し、近点撮像用の光学特性を持たせるようになっている。
【００１５】
また、携帯電話Ｐは、折り畳んだ状態で蓋部材１と本体２との当接部分から合成光学系内に侵入する光を遮断するための遮断機構２０を備える。
遮断機構２０は、蓋部材１に格納されたアダプタ光学系１１の周囲を覆うように蓋部材１の表面から突出する凸部２１と、本体２に格納された撮像モジュール４の周囲を覆うように本体２の表面に形成される凹部２２とを備え、携帯電話Ｐを折り畳んだ状態で凸部２１と凹部２２とが嵌合するようになっている。
【００１６】
以上のように、本実施の形態によれば、携帯電話Ｐを折り畳んだ状態で合成光学系を用いた近点撮像を行う場合でも、本体２と蓋部材１の隙間を通過した光を、合成光学系の周囲を覆う凸部２１により遮断することができ、画質の低下を未然に防止できる。
また、凸部２１と凹部２２とが嵌合することで、蓋部材１を本体２に対して正確に位置決めすることができ、第１の光学系１４の光軸Ｌ１と第２の光学系８の光軸Ｌ２とのずれも防止できる。
【００１７】
また、例えば、折り畳んだ状態で、撮像モジュール４のカバーガラス９とアダプタ光学系１１の内面のカバーガラス１５ａをそれぞれスライド移動させ、第１の光学系１４を撮像モジュール４内に移動可能な構成にしたり、第２の光学系８をアダプタ光学系１１内に移動可能な構成とすれば、合成光学系の光軸方向の長さの変化量を増加させることができ、光学性能を向上させることができる。
なお、アダプタ光学系１１としては、例えば、屈折力を持たずに光路を９０°曲げるミラー、光学プリズム、赤外カットフィルタ等の光学フィルタ、絞り等であっても良い。
また、凸部２１を本体２に設けて凹部２２を蓋部材１に設けても良い。また、アダプタ光学系１１を本体２に設けて撮像モジュール４を蓋部材１に設けても良い。
なお、本実施の形態においては、携帯電話Ｐを開いた状態で遠点撮像用の光学特性を持ち、折り畳んだ状態で近点撮像用の光学特性を持つものとしたが、これに限らず、携帯電話Ｐを開いた状態では撮像できず、折り畳むことで撮像可能としてもよい。
【００１８】
［第２の実施の形態］
次に、本発明の第２の実施の形態について説明するが、上記第１の実施の形態と同様の構成となる箇所については同一の符号を付し、説明を省略する。
本実施の形態は、遮断機構３０が筒状部材３１を有することを特徴とする。
図３（ａ）に示すように、筒状部材３１は、第２の光学系８の周囲を覆った状態で本体２に格納されており、図３（ｂ）に示すように、撮影時には、本体２の表面からその先端部３１ａが突出するように移動することで、先端部３１ａが蓋部材１の内部まで延在し、蓋部材１に格納された第１の光学系１４の周囲を覆うようになっている。
【００１９】
なお、図３（ｂ）では、撮像モジュール４のカバーガラス９とアダプタ光学系１１の内面のカバーガラス１５ａをそれぞれスライド移動させた状態を示しているが、カバーガラス９、１５ａをスライド移動させずに、カバーガラス９、１５ａの一部に筒状部材３１を挿通させるための開口を設ける構成であってもよい。
また、蓋部材１には、蓋部材１の内部に延在する筒状部材３１の先端部３１ａと勘合することで、筒状部材３１の移動を規制する移動規制部材３２が取り付けられている。
【００２０】
本実施の形態に示した構成であっても、本体２と蓋部材１の隙間を通過した光を、筒状部材３１により遮断することができ、画質の低下を未然に防止できる。
また、筒状部材３１と移動規制部材３２とが嵌合することで、蓋部材１を本体２に対して正確に位置決めすることができ、第１の光学系１４の光軸Ｌ１と第２の光学系８の光軸Ｌ２とのずれも防止できる。
なお、図４に示すように、筒状部材３１と移動規制部材３２とをヘリコイド３３ａ、３３ｂを利用して嵌合させる構成としてもよい。なお、図４（ａ）は撮影前、図４（ｂ）は撮影時の状態を示している。
【００２１】
［第３の実施の形態］
次に、本発明の第３の実施の形態について説明するが、上記第１及び第２の実施の形態と同様の構成となる箇所については同一の符号を付し、説明を省略する。
本実施の形態の遮断機構４０は、図５（ａ）に示すように、撮像モジュール４のカバーガラス９が筒状部材４１と一体に移動するように筒状部材４１の先端部４１ａに取り付けられており、また、アダプタ光学系１１の内面のカバーガラス１５ａが、バネ等の弾性部材４２を用いて蓋部材１の内部から表面に向かって付勢された構成となっている。
なお、詳しい説明は後述するが、弾性部材４２とカバーガラス１５ａとの間には第１ストッパー４３が介在しており、弾性部材４２の近傍に第２ストッパー４４が設けられている。また、弾性部材４２の周囲を覆うように筒状の移動規制部材４５が設けられている。
【００２２】
そして、図５（ｂ）に示すように、撮影時に筒状部材４１が移動を開始すると、撮像モジュール４のカバーガラス９も筒状部材４１と一体となって移動する。そして、アダプタ光学系１１の内面のカバーガラス１５ａは、撮像モジュール４のカバーガラス９により押圧されることで、蓋部材１の内部へ移動し、第１ストッパー４３が第２ストッパー４４に当接した時点で、筒状部材４１が停止する。
この状態では、筒状部材４１の外周面は移動規制部材４５の内周面に当接している。
【００２３】
このような構成であっても、本体２と蓋部材１の隙間を通過した光を筒状部材４１により遮断することができ、画質の低下を未然に防止できる。
また、筒状部材４１の外周面が移動規制部材４５の内周面に当接することで、蓋部材１を本体２に対して正確に位置決めすることができ、第１の光学系１４の光軸Ｌ１と第２の光学系８の光軸Ｌ２とのずれも防止できる。
【図面の簡単な説明】
【００２４】
【図１】携帯電話の外観を示す斜視図である。
【図２】携帯電話の構造を示す要部縦断面図である。
【図３】携帯電話の構造を示す要部縦断面図である。
【図４】携帯電話の構造を示す要部縦断面図である。
【図５】携帯電話の構造を示す要部縦断面図である。
【符号の説明】
【００２５】
Ｐ  携帯電話
１    蓋部材
２    本体
３    回動軸
４    撮像モジュール
７    撮像素子
８    第２の光学系
１１  アダプタ光学系
１４  第１の光学系
２０  遮断機構
２１  凸部
２２  凹部
３０  遮断機構
３１  筒状部材
３２  移動規制部材
４０  遮断機構
４１  筒状部材
４２  弾性部材
４５  移動規制部材
【図１】
2005167876.tif 000003
【図２】
2005167876.tif 000004
【図３】
2005167876.tif 000005
【図４】
2005167876.tif 000006
【図５】
2005167876.tif 000007